(57)【要約】【課題】  文書データに画像がある場合でも，正しく透かし情報を読み取ることができるように透かし情報を埋め込む。【解決手段】  文書データを読み取る文書データ読取部１０２と；文書データ読取部に読み取られた文書データ上に画像が存在するか否かを判定する画像判定部３０４と；画像判定部により画像が存在すると判定された場合，画像を除去する画像除去部４０６と；画像判定部により画像が存在すると判定された場合，画像の濃度を検出する画像濃度検出部４１０と；画像除去部により画像が除去された文書データに，埋め込み情報に基づいて，地紋を用いた透かしを埋め込む透かし入り文書画像生成部４１４と；を備える。【選択図】    図１０
2006135755.tif 000002
【特許請求の範囲】
【請求項１】
電子透かしを用いて文書に埋め込み情報を埋め込む透かし情報埋め込み装置であって：
文書データを読み取る文書データ読取部と；
前記文書データ読取部により読み取られた文書データ上に画像が存在するか否かを判定する画像判定部と；
前記画像判定部により画像が存在すると判定された場合，前記文書データの画像を除去する画像除去部と；
前記画像除去部により画像が除去された文書データに，前記埋め込み情報に基づいて，地紋を用いた透かしを埋め込む透かし入り文書画像生成部と；を備えたことを特徴とする，透かし情報埋め込み装置。
【請求項２】
前記画像判定部により判定される前記文書データの画像は，前記文書データの背景画像であることを特徴とする，請求項１に記載の透かし情報埋め込み装置。
【請求項３】
前記埋め込まれた透かしは，複数種類のドットパターンが規則正しく配置され，その中の少なくとも一種類のドットパターンは特定の情報を表すことを特徴とする，請求項１に記載の透かし情報埋め込み装置。
【請求項４】
電子透かしを用いて文書に埋め込み情報を埋め込む透かし情報埋め込み装置であって：
文書データを読み取る文書データ読取部と；
前記文書データ読取部に読み取られた文書データ上に画像が存在するか否かを判定する画像判定部と；
前記画像判定部により画像が存在すると判定された場合，前記画像を除去する画像除去部と；
前記画像判定部により画像が存在すると判定された場合，前記画像の濃度を検出する画像濃度検出部と；
前記画像除去部により前記画像が除去された文書データに，前記埋め込み情報に基づいて，地紋を用いた透かしを埋め込む透かし入り文書画像生成部と；を備え，
前記埋め込まれた透かしは，前記画像濃度検出部により検出された画像の濃度に応じて前記文書データ上に埋め込まれることを特徴とする，透かし情報埋め込み装置。
【請求項５】
前記文書データ上の画像が前記文書データの背景画像である場合，文字データの背景に透かしが埋め込まれることを特徴とする，請求項４に記載の透かし情報埋め込み装置。
【請求項６】
前記埋め込まれた透かしは，複数種類のドットパターンが規則正しく配置され，その中の少なくとも一種類のドットパターンは特定の情報を表し，前記ドットパターンの大きさまたは密度によって画像の濃度を表すことを特徴とする，請求項４に記載の透かし情報埋め込み装置。
【請求項７】
電子透かしを用いて文書に情報を埋め込む透かし情報埋め込み装置であって：
文書データを読み取る文書データ読取部と；
前記文書データ読取部により読み取られた文書データ上に画像が存在するか否かを判定する画像判定部と；
前記画像判定部により文書データに画像が存在すると判定された場合，前記画像が位置している領域をマスクする画像マスク部と；
前記文書データに，前記埋め込み情報に基づいて地紋を用いた透かしを埋め込む透かし入り文書画像生成部と；を備え，
前記埋め込まれた透かしは，前記画像マスク部によりマスクされた領域以外に埋め込まれることを特徴とする，透かし情報埋め込み装置。
【請求項８】
前記埋め込まれた透かしは，矩形単位に分割され，位置情報が埋め込まれることを特徴とする，請求項７に記載の透かし情報埋め込み装置。
【請求項９】
電子透かしを用いて文書に埋め込み情報を埋め込む透かし情報埋め込み方法であって：
文書データを読み取る文書データ読取工程と；
前記文書データ読取部により読み取られた文書データ上に画像が存在するか否かを判定する画像判定工程と；
前記画像判定部により画像が存在すると判定された場合，前記文書データの画像を除去する画像除去工程と；
前記画像除去部により画像が除去された文書データに，前記埋め込み情報に基づいて，地紋を用いた透かしを埋め込む透かし入り文書画像生成工程と；を含むことを特徴とする，透かし情報埋め込み方法。
【請求項１０】
電子透かしを用いて文書に埋め込み情報を埋め込む透かし情報埋め込み方法であって：
文書データを読み取る文書データ読取工程と；
前記文書データ読取部に読み取られた文書データ上に画像が存在するか否かを判定する画像判定工程と；
前記画像判定部により画像が存在すると判定された場合，前記画像を除去する画像除去工程と；
前記画像判定部により画像が存在すると判定された場合，前記画像の濃度を検出する画像濃度検出工程と；
前記画像除去部により前記画像が除去された文書データに，前記埋め込み情報に基づいて，地紋を用いた透かしを埋め込む透かし入り文書画像生成工程と；を含み，
前記埋め込まれた透かしは，前記画像濃度検出工程により検出された画像の濃度に応じて前記文書データ上に埋め込まれることを特徴とする，透かし情報埋め込み方法。
【請求項１１】
電子透かしを用いて文書に情報を埋め込む透かし情報埋め込み方法であって：
文書データを読み取る文書データ読取工程と；
前記文書データ読取部により読み取られた文書データ上に画像が存在するか否かを判定する画像判定工程と；
前記画像判定部により文書データに画像が存在すると判定された場合，前記画像が位置している領域をマスクする画像マスク工程と；
前記文書データに，前記埋め込み情報に基づいて地紋を用いた透かしを埋め込む透かし入り文書画像生成工程と；を含み，
前記埋め込まれた透かしは，前記画像マスク工程によりマスクされた領域以外に埋め込まれることを特徴とする，透かし情報埋め込み方法。
【発明の詳細な説明】
【技術分野】
【０００１】
本発明は，文書データに透かし情報を埋め込む，透かし情報埋め込み装置およびすかし情報埋め込み方法に関する。
【背景技術】
【０００２】
近年，文書の背景に所定の方法で黒画素（ドット）を埋め込むことで文書に機密情報等をもたせることが行われている。このように情報を文書に埋め込む方法として，特許文献１に開示された技術がある。
【０００３】
特許文献１では，透かし情報埋め込み装置により，機密情報等を文書の背景に地紋を用いて埋め込むことができる。図１３に示したように，特許文献１の透かし情報埋め込み装置により，文書（６０４）の背景に透かし（６０６）を埋め込み，透かし情報が埋め込まれた文書（６０８）を印刷することができる。透かし文書例６０８に示したように，「文字」と重なっている部分の地紋が消えてしまっているが，透かし情報に助長性を持たせることにより，正しい情報を読み取ることが可能となる。例えば，同一の情報を表すドットパターンを繰り返し埋め込むことにより，地紋の一部分が消えてしまっても埋め込まれた情報を正しく読み取ることができる。
【０００４】
【特許文献１】特開平２００３−１０１７６２号公報
【発明の開示】
【発明が解決しようとする課題】
【０００５】
しかし，文書の背景に網掛けなどがされている場合，網掛けの模様と地紋が重なってしまい，正しく埋め込まれた情報を読み取ることができないという問題があった。図１４は，背景に網掛けがされている文書に地紋を用いた透かしが埋め込まれた例を示した図である。透かし文書例６１８に示したように，背景の網掛けの模様と地紋が重なってしまうため，この重なってしまった部分については正しく情報を読み取ることができない。
【０００６】
例えば文書６１０の網掛け部分６１２のように，文書の広範囲にわたり網掛けがなされている場合には，その網掛け部分の透かし情報は正しく読み取ることができない。また，文書の背景に写真やイラストが入っている場合や，文書の背景ではなくても，文書の広範囲に写真やイラストが入っている場合には，その写真やイラストが入っている部分の透かし情報を正しく読み取ることができない。
【０００７】
そこで，本発明は，このような問題に鑑みてなされたもので，その目的とするところは，文書データに画像がある場合でも，正しく透かし情報を読み取ることができるように透かし情報を埋め込むことが可能な，新規かつ改良された，透かし情報埋め込み装置および透かし情報埋め込み方法を提供することにある。
【課題を解決するための手段】
【０００８】
上記課題を解決するために，本発明のある観点によれば，電子透かしを用いて文書に埋め込み情報を埋め込む透かし情報埋め込み装置であって：文書データを読み取る文書データ読取部と；文書データ読取部により読み取られた文書データ上に画像が存在するか否かを判定する画像判定部と；画像判定部により画像が存在すると判定された場合，文書データの画像を除去する画像除去部と；画像除去部により画像が除去された文書データに，埋め込み情報に基づいて，地紋を用いた透かしを埋め込む透かし入り文書画像生成部と；を備えたことを特徴とする，透かし情報埋め込み装置が提供される。上記画像判定部により判定される前記文書データの画像は，文書データの背景画像であってもよい。また，上記埋め込まれた透かしは，複数種類のドットパターンが規則正しく配置され，その中の少なくとも一種類のドットパターンは特定の情報を表してもよい。
【０００９】
上記発明によれば，文書に画像がある場合においても，画像を除去して文書全体に地紋を用いた透かしを埋め込むことが可能となる。例えば文書の背景に網掛け等がなされている場合においても，文書の背景の網掛け等を除去して，正しく透かし情報を読み取ることができるように，文書全体に透かしを埋め込むことができる。また，文書に画像が含まれていても，文字データの背景に文字以外の情報を埋め込むことが可能となり，例えば秘密情報やコピー牽制情報等を埋め込まれていることを第三者に認識されにくくなる。
【００１０】
上記課題を解決するために，本発明の別の観点によれば，電子透かしを用いて文書に埋め込み情報を埋め込む透かし情報埋め込み装置であって：文書データを読み取る文書データ読取部と；文書データ読取部に読み取られた文書データ上に画像が存在するか否かを判定する画像判定部と；画像判定部により画像が存在すると判定された場合，画像を除去する画像除去部と；画像判定部により画像があると判定された場合，画像の濃度を検出する画像濃度検出部と；画像除去部により画像が除去された文書データに，埋め込み情報に基づいて，地紋を用いた透かしを埋め込む透かし入り文書画像生成部と；を備え，埋め込まれた透かしは，画像濃度検出部により検出された画像の濃度に応じて文書データ上に埋め込まれることを特徴とする，透かし情報埋め込み装置が提供される。
【００１１】
上記発明によれば，文書に画像がある場合においても，画像を除去して，その画像の濃度に応じて正しく透かし情報を読み取ることができるように，文書全体に地紋を用いた透かしを埋め込むことができる。かかる構成により，文書データに対して画像の占める領域が大きい場合でも，画像の領域に影響を受けずに文書全体に地紋を用いた透かしを埋め込むことが可能となる。さらに，画像の濃度に応じて透かし情報を埋め込むことができるため，文書の再現性を高めることができる。
【００１２】
上記文書データ上の画像が文書データの背景画像である場合，文字データの背景に透かしを埋め込むようにしてもよい。これにより，文書データの背景に網掛け等の画像がある場合においても，正しく透かし情報を読み取ることができるように，文書全体に透かし情報を埋め込むことが可能となる。また，文書の背景が網掛け等の均一なドットで表現される画像は，均一に透かしを埋め込むことにより網掛け等の画像を表現することができる。
【００１３】
また，上記埋め込まれた透かしは，複数種類のドットパターンが規則正しく配置され，その中の少なくとも一種類のドットパターンは特定の情報を表し，ドットパターンの大きさまたは密度によって画像の濃度を表してもよい。
【００１４】
これにより，画像の濃度を透かしのドットパターンの大きさや密度で表現することができる。画像を透かし画像の諧調で表現することにより，文書データの再現性を高めることができる。また，文書全体に文字以外の情報を埋め込むことが可能となり，例えば秘密情報やコピー牽制情報等を埋め込まれていることを第三者に認識されにくくなる。
【００１５】
上記課題を解決するために，本発明の別の観点によれば，電子透かしを用いて文書に情報を埋め込む透かし情報埋め込み装置であって：文書データを読み取る文書データ読取部と；文書データ読取部により読み取られた文書データ上に画像が存在するか否かを判定する画像判定部と；画像判定部により文書データに画像が存在すると判定された場合，画像が位置している領域をマスクする画像マスク部と；文書データに，前記埋め込み情報に基づいて地紋を用いた透かしを埋め込む透かし入り文書画像生成部と；を備え，埋め込まれた透かしは，画像マスク部によりマスクされた領域以外に埋め込まれることを特徴とする，透かし情報埋め込み装置が提供される。上記埋め込まれた透かしは，矩形単位に分割され，位置情報を埋め込むようにしてもよい。
【００１６】
上記発明によれば，写真やイラスト等の画像領域以外に透かし画像を埋め込むことにより，写真やイラスト等が含まれている文書に対しても，透かし情報の読取が可能なように透かしを埋め込むことができる。また，写真やイラスト等と透かし地紋が重なって透かし地紋による写真やイラスト等の劣化を防止することができる。
【００１７】
上記課題を解決するために，本発明の別の観点によれば，電子透かしを用いて文書に埋め込み情報を埋め込む透かし情報埋め込み方法であって：文書データを読み取る文書データ読取工程と；文書データ読取部により読み取られた文書データ上に画像が存在するか否かを判定する画像判定工程と；画像判定部により画像が存在すると判定された場合，文書データの画像を除去する画像除去工程と；画像除去部により画像が除去された文書データに，埋め込み情報に基づいて，地紋を用いた透かしを埋め込む透かし入り文書画像生成工程と；を含むことを特徴とする，透かし情報埋め込み方法が提供される。
【００１８】
上記課題を解決するために，本発明に別の観点によれば，電子透かしを用いて文書に埋め込み情報を埋め込む透かし情報埋め込み方法であって：文書データを読み取る文書データ読取工程と；文書データ読取部に読み取られた文書データ上に画像が存在するか否かを判定する画像判定工程と；画像判定部により画像が存在すると判定された場合，画像を除去する画像除去工程と；画像判定部により画像があると判定された場合，画像の濃度を検出する画像濃度検出工程と；画像除去部により画像が除去された文書データに，埋め込み情報に基づいて，地紋を用いた透かしを埋め込む透かし入り文書画像生成工程と；を含み，埋め込まれた透かしは，画像濃度検出工程により検出された画像の濃度に応じて文書データ上に埋め込まれることを特徴とする，透かし情報埋め込み方法が提供される。
【００１９】
上記課題を解決するために，本発明の別の観点によれば，電子透かしを用いて文書に情報を埋め込む透かし情報埋め込み方法であって：文書データを読み取る文書データ読取工程と；文書データ読取部により読み取られた文書データ上に画像が存在するか否かを判定する画像判定工程と；画像判定部により文書データに画像が存在すると判定された場合，画像が位置している領域をマスクする画像マスク工程と；文書データに，埋め込み情報に基づいて地紋を用いた透かしを埋め込む透かし入り文書画像生成工程と；を含み，埋め込まれた透かしは，画像マスク工程によりマスクされた領域以外に埋め込まれることを特徴とする，透かし情報埋め込み方法が提供される。
【発明の効果】
【００２０】
以上説明したように本発明によれば，文書データに画像がある場合でも，正しく透かし情報を読み取ることができるように透かし情報を埋め込むことができる。さらに画像の濃度に応じた透かし情報を埋め込むことにより，文書の再現性を高めることができる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
本実施の形態では，文書に網掛けがされていたり画像がある場合においても，正しく透かし情報を読み取ることができるように透かし情報を埋め込むことを特徴としている。
【００２３】
＜１．第１実施形態＞
第１実施形態では，文書に背景画像がある場合に文書の背景画像を除去して，地紋を用いた透かし入り文書画像を生成する透かし情報埋め込み装置１０に本発明の透かし画像生成装置を適用して説明する。図１は，第１実施形態にかかる透かし画像生成装置１０の機能構成図である。
【００２４】
透かし情報埋め込み装置１０は，文書データと文書に埋め込む埋め込み情報を基に文書画像を生成し，紙媒体に印刷を行う装置である。図１に示したように，透かし情報埋め込み装置１０は，文書データ読取部１０２と，背景画像判定部１０４と，背景画像除去部１０６と，透かし入り文書画像生成部１１４と出力デバイス１１６などからなる。背景画像判定部１０４は本発明の画像判定部の一例として，背景画像除去部１０６は本発明の画像除去部の一例として例示できる。
【００２５】
文書データ１５は，フォント情報やレイアウト情報等を含み，文書作成ツール等により作成されたデータである。埋め込み情報１１０は，紙媒体に文字以外の形式，例えば地紋を用いて埋め込む情報（文字列や画像，音声データ）などである。第１実施形態では，文書に背景画像がある場合について説明するが，かかる例に限定されず，文書の背景部分以外に画像がある場合であってもよい。
【００２６】
文書データ読取部１０２は文書データ１００を読み取って，背景画像判定部１０４に提供する。文書データ読取部１０２によって読み取られる文書データ１００は，文書のベクター情報であってもよい。ここで，ベクター情報とは，文書を画像化する際の画像の描き方の情報である。例えば文書の背景に網掛けがされている場合には，描画パタンによる塗りつぶし情報としてベクター情報に含まれる。
【００２７】
背景画像判定部１０４は，文書データ読取部１０２により提供された文書データに背景画像があるか否かを判定し，判定結果を背景画像除去部１０６に提供する。具体的には，文書データのベクター情報に網掛け等の背景画像の情報があるか否かを判定する。例えば，上述したように，ベクター情報に描画パタンによる塗りつぶし情報が含まれているか否かを判定することにより，文書の背景に網掛けがされているか否かを判定することができる。
【００２８】
背景画像判定部１０４により背景画像があると判定された場合，背景画像除去部１０６は，文書データのベクター情報に含まれている背景画像を除去し，背景画像を除去した文書データのベクター情報をビットマップ画像に変換する。ビットマップ画像とは，画像を格子状にならんだ点の集合として表現する画像であり，文書のベクター情報を紙媒体に印刷する場合には，ベクター情報をビットマップ画像に変換する必要がある。
【００２９】
本実施形態では，文書データのベクター情報から背景画像を除去しているが，文書データ読取部により読み取られる文書データは，すでにビットマップ画像に変換されている画像でもよい。ビットマップ画像から，網掛け等の背景画像があるか否かを判定する場合には，例えば同一の細かなドットパターンが連続している部分を背景画像と判断するなどの方法により，背景画像があると判定することができる。
【００３０】
背景画像除去部１０６により，文書の網掛け等の背景画像が除去された文書のビットマップ画像は，透かし入り文書画像生成部１１４に提供される。透かし入り文書画像生成部１１４は，背景画像除去部１０６に提供された文書のビットマップ画像上に，埋め込み情報１１０を基に地紋を用いた透かし入り文書画像を生成する。透かし入り文書画像生成部１１４は，透かし入り文書画像が紙に印刷された状態の画像をページごとに作成する。また，埋め込み情報１１０を基に地紋を用いた透かし画像を予め生成し，文書のビットマップ画像と透かし画像を重ね合わせて，透かし入り文書画像を生成してもよい。
【００３１】
透かし入り文書画像生成部１１４により生成された透かし入り文書画像は，出力デバイス１１６に提供される。出力デバイス１１６は，プリンタなどの出力装置であり，透かし入り文書画像を紙媒体に印刷する。
【００３２】
背景画像除去部１０６により背景画像が除去された文書に透かし情報が埋め込まれることにより，文書に網掛け等の背景画像がある場合においても，正しく透かし情報を読み取ることができるように，文書全体に地紋を用いた透かしを埋め込むことができる。従来，文書に網掛け等の背景画像がある場合には，背景画像と地紋が重なり透かしを埋め込んでも正しく透かしを読み込むことができないことがあった。しかし，上述したように，文書データの網掛け等の画像を除去することにより，印刷文書全体に透かしを埋め込むことが可能となり，文書データに網掛け等の画像がない場合と同等の情報量を持った透かし情報を埋め込むことが可能となる。
【００３３】
以上，第１実施形態にかかる透かし情報埋め込み装置１０の機能構成について説明した。次に，図２に基づいて，第１実施形態にかかる透かし情報埋め込み方法について説明する。なお，説明の際に図３に示した画像のイメージ図を適宜参照する。
【００３４】
図２は，本実施形態にかかる透かし情報埋め込み方法の流れを示したフローチャートである。まず，ステップＳ１２０において，文書データの読取を行う。次に，ステップＳ１２０で読み取られた文書データに背景画像があるか否かを判定する（Ｓ１２２）。ここで背景画像とは，例えば，文書データの背景にある網掛け等の画像である。ステップＳ１２０において読み取られる文書データは上述したようにベクター情報であり，このベクター情報を画像化すると，例えば図３のイメージ画像１５０のような画像となる。イメージ画像１５０は文書データの一部であり，網掛け等の背景画像は文書の一部であってもよいし，文書全体にあってもよい。
【００３５】
図２に戻り，ステップＳ１２２において文書データに背景画像があると判定された場合，文書データの背景画像を除去する（Ｓ１２４）。ステップＳ１２４において，例えば網掛け等の背景画像が除去され，文字データのみのベクター情報が生成される。図３のイメージ画像１５２は，文書データの背景画像が除去されたベクター情報を画像化した図である。
【００３６】
上述したように，ベクター情報に描画パタンによる塗りつぶし情報が含まれているか否かを判定することにより，文書データに網掛け等に背景画像があるか否かを判定することができる。また，背景画像を除去するとは，文書データのベクター情報から塗りつぶし情報等を削除することである。したがって，ベクター情報を画像化する前に，背景画像を除去することができるので，容易にイメージ画像１５０からイメージ画像１５２を得ることができる。
【００３７】
上述したように，すでにビットマップ画像に変換されている画像から，網掛け等の背景画像があるか否かを判定することも可能である。その場合には，例えば同一の細かなパタンが連続している部分を背景部部と判断するなどの方法により，図３に示したイメージ画像１５２を得ることができる。
【００３８】
ステップＳ１２２において画像がないと判定された場合には，ステップＳ１２０において読み取られた文書データに埋め込み情報を基に文書データ上に地紋を用いた透かし情報が埋め込まれる（Ｓ１２６）。また，ステップＳ１２４において文書データの画像が除去されると，埋め込み情報を基に文書データ上に地紋を用いた透かし情報が埋め込まれ，透かし入り文書画像が生成される（Ｓ１２６）。ステップＳ１２６において生成された透かし入り文書画像が紙媒体に印刷され，出力される（Ｓ１２８）。
【００３９】
地紋を用いた透かし画像とは，例えば図３のイメージ画像１５４に示したように，複数種類のドットパターンが規則正しく配置され，その中の少なくとも一種類のドットパターンが特定の情報を表すようにしてもよい。これにより，文字データの背景に文字以外の情報を埋め込むことが可能となり，例えば秘密情報やコピー牽制情報等を埋め込まれていることを第三者に認識されにくくなる。
【００４０】
上述したように，第１実施形態では，文書に画像がある場合，例えば文書の背景に網掛け等がなされている場合においても，正しく透かし情報を読み取ることができるように，文書全体に透かしを埋め込むことができる。以上，第１実施形態について説明した。次に，第２実施形態について説明する。
【００４１】
＜２．第２実施形態＞
第２実施形態では，文書に背景画像がある場合文書の背景画像を除去し，さらに文書の背景画像の濃度を検出して，その濃度に応じて地紋を用いた透かし入り文書画像を生成する透かし情報埋め込み装置２０に本発明の透かし画像生成装置を適用して説明する。
【００４２】
本実施形態では，第１実施形態とは異なる部分についておもに説明する。図４は，第２実施形態にかかる透かし情報埋め込み装置の機能構成図である。透かし情報埋め込み装置２０は，文書データと文書に埋め込む埋め込み情報を基に文書画像を生成し，紙媒体に印刷を行う装置である。図４に示したように，透かし情報埋め込み装置２０は，文書データ読取部１０２と，背景画像判定部１０４と，背景画像除去部１０６と，背景画像濃度情報検出部２１０と，透かし入り文書画像生成部２１４と，出力デバイス１１６などからなる。背景画像判定部１０４は本発明の画像判定部の一例として，背景画像除去部１０６は本発明の画像除去部の一例として，背景画像濃度情報検出部２１０は画像濃度情報検出部の一例として例示できる。
【００４３】
本実施形態は，第１実施形態同様，背景画像判定部１０４により文書データに背景画像があるか否かが判定され，背景画像がある場合は背景画像除去部１０６により背景画像が除去される。本実施形態においても，文書データのベクター情報から背景画像の情報を除去することができる。また，文書データはすでにビットマップ画像に変換されている画像でもよく，ビットマップ画像から網掛け等の背景画像があるか否かを判定して，背景画像を除去するようにしてもよい。
【００４４】
背景画像判定部１０４により背景画像があると判定された場合には，背景画像濃度情報検出部２１０は，背景画像の濃度情報を検出する。ここで，濃度情報とは，文書の背景に平均濃度が異なるドットを配置することで，視覚的に柄を描画するための情報である。背景画像濃度情報検出部２１０は，文書のベクター情報に含まれている背景画像の平均濃度を検出して，その濃度情報を透かし入り文書画像生成部２１４に提供する。濃度情報は，例えば，背景画像のない部分を第１濃度情報とし，背景画像のある部分を第２濃度情報などとしてもよい。
【００４５】
背景画像除去部１０６により背景画像が除去された文書のビットマップ画像と，背景画像濃度情報検出部２１０により検出された濃度情報が透かし入り文書画像生成部２１４に提供される。透かし入り文書画像生成部２１４は，文書のビットマップ画像上に濃度情報の濃度に応じて，埋め込み情報１１０を基に地紋を用いた透かし入り文書画像を生成する。透かし入り文書画像生成部２１４は，濃度情報に応じて埋め込み情報のドットパターンを決定するようにしてもよい。例えば，第１濃度情報の場合には，第１濃度ドットパターンとし，第２濃度情報の場合には第２濃度ドットパターンとする。第１濃度ドットパターンと第２濃度ドットパターンの差異は，ドットの大きさでもよいし，ドットパターンの密度でもよい。
【００４６】
濃度情報とドットパターンを関連付けて管理することにより，埋め込み情報１１０を埋め込む際に，濃度情報に応じてドットパターンを決定して埋め込むことが可能となる。これにより，濃度情報に応じて地紋を用いた透かし情報を文書データに埋め込むことができる。
【００４７】
また，埋め込み情報１１０と濃度情報とドットパターンを関連付けて管理し，濃度情報に応じて，埋め込み情報１１０を基に地紋を用いた透かし画像を予め生成し，文書のビットマップ画像と透かし画像を重ね合わせて，透かし入り文書画像を生成してもよい。
【００４８】
透かし入り文書画像生成部２１４により生成された透かし入り文書画像は，出力デバイス１１６に提供される。出力デバイス１１６は，プリンタなどの出力装置であり，透かし入り文書画像を紙媒体に印刷する。
【００４９】
これにより，文書に網掛け等の背景画像がある場合においても，正しく透かし情報を読み取ることができるように，文書全体に地紋を用いた透かしを埋め込むことができる。さらには透かしにより文書の背景の濃度を表現することができるため，文書の再現性を高めることが可能となる。
【００５０】
以上，第２実施形態にかかる透かし情報埋め込み装置２０の機能構成について説明した。次に，図５に基づいて，第２実施形態にかかる透かし情報埋め込み方法について説明する。なお，説明の際に図６に示した画像のイメージ図を適宜参照する。
【００５１】
図５は，本実施形態にかから透かし情報埋め込み方法の流れを示したフローチャートである。まず，ステップＳ２２０において，文書データの読取を行う。次に，ステップＳ２２０で読み取られた文書データに背景画像があるか否かを判定する（Ｓ２２２）。ステップＳ２２２において文書データに画像があると判定された場合，文書データの背景画像を除去し，背景画像の濃度情報を検出する（Ｓ２２４）。第１実施形態と同様に，文書データの背景画像が除去されると，図６に示したイメージ画像１５２となる。
【００５２】
また，イメージ画像１６０に示したように，イメージ画像１５０の網掛け部分の濃度情報を検出する。濃度情報は，イメージ画像１６０に示したようなビットマップ画像でもよいし，濃度情報が数値化されていてもよい。
【００５３】
図５に戻り，ステップＳ２２４において，背景画像が除去された文書データ上に，検出された濃度情報に応じて埋め込み情報を基に地紋を用いた透かし情報を埋め込み，透かし入り文書画像を生成する（Ｓ２２６）。濃度情報に応じた透かし画像は，背景画像があった部分とない部分とで濃度が異なる画像であり，例えば図６のイメージ画像１６２に示した画像となる。イメージ画像１６２に示したように，濃度の差異はドットの大きさの差異によって表現される。上述したように，濃度の差異は，ドットパターンの密度によって表現されてもよい。イメージ画像１５０のように，文書の背景が網掛け等の均一な画像は，イメージ画像１６２に示したように均一な透かし画像によって表現することができる。
【００５４】
そして，文書のビットマップ画像１５２に透かし画像１６２が埋め込まれて，イメージ画像１６４に示した透かし入り文書画像が生成される。ステップＳ２２２において背景画像がないと判定された場合には，ステップＳ２２０において読み取られた文書データに埋め込み情報を基に文書データ上に地紋を用いた透かし情報が埋め込まれる（Ｓ２２６）。ステップＳ２２６において生成された透かし入り文書画像が，紙媒体に印刷されて出力される（Ｓ３２８）。
【００５５】
第１実施形態と同様に，複数種類のドットパターンのうち，少なくとも一種類のドットパターンが特定の情報を表すようにしてもよい。これにより，文字データの背景に文字以外の情報を埋め込むことが可能となり，例えば秘密情報やコピー牽制情報等を埋め込まれていることを第三者に認識されにくくなる。さらには，透かし入り文書画像１６４に示したように，透かしにより文書データの背景画像の濃度を表現することが可能となる。
【００５６】
以上，第２実施形態について説明した。次に，第３実施形態について説明する。
【００５７】
＜３．第３実施形態＞
第３実施形態では，文書データ上に画像がある場合，画像が位置している領域以外に透かしを埋め込む透かし情報埋め込み装置３０に本発明の透かし画像生成装置を適用して説明する。図７は，第３実施形態にかかる透かし情報埋め込み装置３０の機能構成図である。
【００５８】
透かし情報埋め込み装置３０は，文書データと文書に埋め込む埋め込み情報を基に文書画像を生成し，紙媒体に印刷を行う装置である。図７に示したように，透かし情報埋め込み装置３０は，文書データ読取部１０２と，画像判定部３０４と，画像マスク部３０８と，透かし入り文書画像生成部３１２と，出力デバイス１１６などからなる。
【００５９】
文書データ１００は，文書作成ツール等により作成されたデータである。埋め込み情報１１０は，紙媒体に文字以外の形式，例えば地紋を用いて埋め込む情報（文字列や画像，音声データ）などである。文書データ上の画像とは，写真やイラスト等の画像である。
【００６０】
文書データ読取部１０２は文書データ１００を読み取って，画像判定部３０４に提供する。文書データ読取部１０２によって読み取られる文書データ１００は，文書のベクター情報であってもよい。例えば文書に写真やイラスト等の画像が含まれている場合には，特定領域へのビットマップ画像の貼り付け情報としてベクター情報に含まれる。
【００６１】
画像判定部３０４は，文書データ読取部１０２により提供された文書データに画像が含まれているか否かを判定し，判定結果を画像マスク部に提供する，具体的には，上述したように，例えばビットマップ画像の貼り付け情報が含まれているか否かを判定することにより，文書に画像が含まれているか否かを判定することができる。
【００６２】
本実施形態では，文書データのベクター情報を読み取って画像の存在の有無を判定しているが，文書データは予め画像に変換済みの画像であってもよい。例えば，文書データがすでにビットマップ画像に変換されている場合，ビットマップ画像のドットを多く含む領域を写真やイラスト等の画像の領域と判定するようにしてもよい。
【００６３】
画像判定部１０４により画像があると判定された場合，画像マスク部３０８は，文書データの画像が位置する部分をマスクするマスク画像を生成して，透かし入り文書画像生成部３１２に提供する。画像マスク部３０８により生成されるマスク画像は，画像の領域と画像の領域以外とを区別することができる画像である。例えば，画像の領域が黒，画像の領域以外が白で表現するようにしてもよい。また，画像の領域である黒部分を「１」，画像の領域以外の白部分を「０」の情報として，画像情報を区別するようにしてもよい。文書画像生成部３０６は，文書データのベクター情報をビットマップ画像に変換して，透かし入り文書画像生成部３１２に提供する。
【００６４】
文書のビットマップ画像とマスク画像を提供された透かし入り文書画像生成部３１２は，文書データ上に，マスク画像によりマスクされた領域以外に埋め込み情報を基に地紋を用いた透かしを埋め込む。埋め込み情報１１０は，矩形単位に分割して文書データ上に埋め込むことができる。矩形単位に分割した埋め込み情報１１０に，位置情報を埋め込むことにより，マスク画像が位置している領域以外に埋め込み情報を埋め込むことができる。例えば，上述した画像領域の黒部分と白部分の位置情報を予め埋め込み情報と関連付けて管理することにより，画像領域の黒部分以外に埋め込み情報を埋め込むことができる。
【００６５】
また，予め透かし画像を生成して，文書のビットマップ画像と透かし画像を重ね合わせて，透かし入り文書画像を生成してもよい。予め透かし画像を生成する場合も，埋め込み情報１１０を矩形単位に分割して位置情報を埋め込むことにより，マスク画像が位置している領域以外に埋め込み情報が埋め込まれた透かし入り文書画像を生成することができる。そして，文書のビットマップ画像と透かし画像を重ね合わせることにより，写真やイラスト等の画像領域以外に透かし画像を埋め込むことが可能となる。
【００６６】
このように，写真やイラスト等の画像領域以外に透かし画像を埋め込むことにより，写真やイラスト等が含まれている文書に対しても，透かし情報の読取が可能なように透かしを埋め込むことができる。また，写真やイラスト等と透かし地紋が重なって透かし地紋による写真やイラスト等の劣化を防止することができる。
【００６７】
以上，第３実施形態にかかる透かし情報埋め込み装置３０の機能構成について説明した。次に，図８に基づいて，第３実施形態にかかる透かし情報埋め込み方法について説明する。なお，説明の際に図９に示した画像のイメージ図を適宜参照する。
【００６８】
図８は，本実施形態にかかる透かし情報埋め込み方法の流れを示したフローチャートである。まず，ステップＳ３２０において，文書データの読取を行う。次に，ステップＳ３２０で読み取られた文書データに画像があるか否かを判定する（Ｓ３２２）。上述したように，この画像は，写真やイラスト等であり，ステップＳ３２２では，文書に写真やイラストが貼り付けられているか否かを判定する。ステップ３２２において，文書に写真やイラスト等のビットマップ画像が貼り付けられていると判定された場合，ビットマップ画像をマスクするマスク画像を生成する（Ｓ３２４）。
【００６９】
例えば，図９のイメージ画像３５０のように，写真３５２が貼り付けられている場合には，写真３５２が位置している領域をマスクした画像を生成する。写真３５２が位置している領域をマスクした画像が，イメージ画像３５４である。イメージ画像３５４は，例えば，マスクする部分を黒，マスクしない部分を白で表現したビットマップ画像である。
【００７０】
図８に戻り，ステップＳ３２４においてマスク画像が生成された後，透かし入り文書画像を生成する（Ｓ３２６）。上述したように，埋め込み情報を矩形単位に分割して位置情報を埋め込み，マスク画像が位置している領域以外に埋め込み情報が埋め込まれた透かし入り文書画像を生成する。また，予め透かし画像を生成するようにしてもよく，図９のイメージ画像３５６は，予め生成された透かし画像の例である。イメージ画像３５６に示したように，イメージ画像３５４の黒で表現したマスク部分以外に透かし情報が埋め込まれる。
【００７１】
さらに，イメージ画像３５６の透かし画像にイメージ画像３５０の文書のビットマップ画像を重ね合わせることにより，イメージ画像３５８に示した画像を生成することができる。イメージ画像３５８に示したように，写真やイラスト等の画像領域以外に透かし画像を埋め込むことにより，元の文書データを変更することなく，透かし情報の読取が可能なように透かしを埋め込むことができる。さらに，写真やイラスト等と透かし地紋が重なって透かし地紋による写真やイラスト等の劣化を防止することができる。
【００７２】
図８に戻り，ステップＳ３２２において文書データに写真やイラストが貼り付けられていないと判定された場合には，ステップＳ３２０において読み取られた文書データに埋め込み情報を基に文書データ上に地紋を用いた透かし情報が埋め込まれる（Ｓ３２６）。ステップＳ１２６において生成された透かし入り文書画像が紙媒体に印刷され，出力される（Ｓ３２８）。
【００７３】
以上，第３実施形態について説明した。次に，第４実施形態について説明する。
【００７４】
＜４．第４実施形態＞
第４実施形態では，文書データ上に画像がある場合画像を除去し，除去した画像の濃度を検出して，その濃度に応じて地紋を用いた透かし入り文書画像を生成する透かし情報埋め込み装置４０に本発明の透かし画像生成装置を適用して説明する。
【００７５】
図１０は，第４実施形態にかかる透かし情報埋め込み装置の機能構成図である。透かし情報埋め込み装置４０は，文書データと文書に埋め込む埋め込み情報を基に文書画像を生成し，紙媒体に印刷を行う装置である。図１０に示したように，透かし情報埋め込み装置４０は，文書データ読取部１０２と，画像判定部３０４と，画像除去部４０６と，画像濃度情報検出部４１０と，透かし入り文書画像生成部４１４と，出力デバイス１１６などからなる。
【００７６】
本実施形態にかかる文書データ１００は，第３実施形態にかかる文書データと同様の文書データであるため，文書データ１００についての説明は省略する。埋め込み情報１１０は，紙媒体に文字以外の形式，例えば地紋を用いて埋め込む情報（文字列や画像，音声データ）などである。
【００７７】
文書データ読取部１０２は，文書データ１００を読み取って，画像判定部３０４に提供する。画像判定部３０４は，文書データ読取部１０２により提供された文書データに画像が含まれているか否かを判定し，判定結果を画像除去部４０６および画像濃度情報検出部４１０に提供する。
【００７８】
画像除去部４０６は，文書データに画像がある場合には，画像を除去する。上述したように，文書データに画像がある場合には，文書データのベクター情報にビットマップ画像の貼り付け情報が含まれている。画像除去部４０６は，文書データのベクター情報から，ビットマップ画像の貼り付け情報を除去することにより，文書データの画像を除去することができる。本実施形態においても，文書データは予め画像に変換済みの画像であってもよい。例えば，文書でデータがすでにビットマップ画像に変換されている場合，ビットマップ画像のドットを多く含む領域を写真やイラスト等の画像の領域と判定するようにしてもよい。
【００７９】
また，画像判定部３０４により，画像があると判定された場合には，画像濃度情報検出部４１０は，文書のベクター情報に含まれている画像をモノクロ化して，濃度情報を検出する。第２実施形態では，背景画像のない部分を第１濃度情報とし，背景画像のある部分を第２濃度情報としたが，本実施形態では，モノクロ化された画像の濃度に応じて複数種類の濃度情報を設定してもよい。
【００８０】
画像除去部４０６により画像が除去された文書のビットマップ画像と，画像濃度情報検出部４１０により検出された濃度情報が透かし入り文書画像生成部４１４に提供される。透かし入り文書画像生成部４１４は，文書のビットマップ画像上に濃度情報の濃度に応じて，埋め込み情報１１０を基に地紋を用いた透かし入り文書画像を生成する。透かし入り文書画像生成部４１４は，濃度情報に応じて埋め込み情報のドットパターンを決定するようにしてもよい。第２実施形態では，２種類の濃度情報を濃度ドットパターンで表すことにより，文書の背景に画像を表現することが可能となった。同様に，本実施形態においても，複数種類の濃度情報をそれぞれの濃度ドットパターンで表して，埋め込み情報１１０を埋め込む際に，濃度情報に応じたドットパターンを決定して埋め込むことが可能となる。これにより，透かし地紋の諧調表現によって，画像の濃度を表現することができる。
複数種類の濃度情報の差異は，ドットの大きさでもよいし，ドットパターンの密度でもよい。
【００８１】
また，埋め込み情報１１０と濃度情報とドットパターンを関連付けて管理し，濃度情報に応じて，埋め込み情報１１０を基に地紋を用いた透かし画像を予め生成し，文書のビットマップ画像と透かし画像を重ね合わせて，透かし入り文書画像を生成してもよい。
【００８２】
透かし入り文書画像生成部４２６により生成された透かし入り文書画像は，出力デバイス１１６に提供される。出力デバイス１１６は，プリンタなどの出力装置であり，透かし入り文書画像を紙媒体に印刷する。
【００８３】
これにより，文書データに対して写真やイラスト等の占める領域が大きい場合でも，その領域に影響を受けずに文書全体に地紋を用いた透かしを埋め込むことができる。また，透かし画像の諧調表現により文書データの画像を再現することができる。
【００８４】
以上，第４実施形態にかかる透かし情報埋め込み装置４０の機能構成について説明した。次に，図１１に基づいて，第４実施形態にかかる透かし情報埋め込み方法について説明する。なお，説明の際に図１２に示した画像のイメージ図を適宜参照する。
【００８５】
図１１は，本実施形態にかかる透かし情報埋め込み方法の流れを示したフローチャートである。まず，ステップＳ４２０において，文書データの読取を行う。次に，ステップＳ４２０で読み取られた文書データに写真やイラストが貼り付けられているか否かを判定する（Ｓ４２２）。ステップＳ４２２において文書データに写真やイラストが貼り付けられていると判定された場合，文書データの画像を除去し，画像の濃度情報を検出する（Ｓ４２４）。ステップＳ４２４において，文書データの画像が除去された画像は，図１２のイメージ画像４５４である。また，イメージ画像４５６に示したように，文書データの画像をモノクロ化して，画像の濃度情報を検出することができる。
【００８６】
図１１に戻り，ステップＳ４２４において画像が除去された文書データ上に，検出された濃度情報に応じて埋め込み情報を基に地紋を用いた透かし情報を埋め込み，透かし入り文書画像を生成する（Ｓ４２６）。また，ステップＳ４２２において写真やイラストが貼り付けられていないと判定された場合には，ステップＳ４２０において読み取られた文書データに埋め込み情報を基に文書データ上に地紋を用いた透かし情報が埋め込まれる（Ｓ４２６）。
【００８７】
図１２のイメージ画像４５８の部分拡大図４６０は，濃度情報に応じた地紋を用いた透かし画像の例である。部分拡大図４６０に示したように，異なる濃度はドットの大きさによって表現される。上述したように，濃度の差異は，ドットパターンの密度によって表現されてもよい。そして，文書のビットマップ画像４５４に透かし画像４５８が埋め込まれて，イメージ画像４６２に示した透かし入り文書画像が生成される。
【００８８】
ステップＳ４２６において生成された透かし入り文書画像が，紙媒体に印刷されて出力される（Ｓ４２８）。
【００８９】
第１〜第３実施形態と同様に，複数種類のドットパターのうち，少なくとも一種類のドットパターンが特定の情報を表すようにしてもよい。これにより，文字データの背景および写真やイラスト部分においても文字以外の情報を埋め込むことが可能となり，例えば秘密情報やコピー牽制情報等を埋め込まれていることを第三者に認識されにくくなる。また，文書データに対して写真やイラスト等の占める領域が大きい場合でも，その領域に影響を受けずに文書全体に地紋を用いた透かしを埋め込むことができる。さらに，画像の濃度に応じた透かし情報を埋め込むことにより，文書の再現性を高めることができる。
【００９０】
以上，第４実施形態について説明した。本発明は，特許文献１に示された透かし情報埋め込み技術を用いて説明したが，かかる透かし技術に限定されず，特許文献１以外の透かし情報埋め込み技術を用いてもよい。
【００９１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９２】
本実施形態では，文書データに添付されている画像をモノクロ化して濃度情報を検出しているが，本発明はかかる例に限定されず，カラー（多色）で印刷を行う場合であっても，同様に本発明を適用することができる。例えば，カラー情報を検出して，カラー情報に応じて透かし情報を埋め込むようにしてもよい。
【００９３】
また，本実施形態では，透かし情報を埋め込む対象を紙媒体としているが，かかる例に限定されず，紙媒体以外の媒体，例えば金属，繊維，プラスチックなどに透かし情報を埋め込むことも可能である。
【産業上の利用可能性】
【００９４】
本発明は，文書データ等に透かし情報を埋め込む透かし情報埋め込み装置および透かし情報埋め込み方法に適用可能である。
【図面の簡単な説明】
【００９５】
【図１】本発明の第１の実施形態にかかる透かし情報埋め込み装置の機能構成図である。
【図２】同実施の形態にかかる透かし情報埋め込み方法の流れを示したフローチャートである。
【図３】同実施の形態において生成される画像のイメージを説明する説明図である。
【図４】本発明の第２の実施形態にかかる透かし情報埋め込み装置の機能構成図である。
【図５】同実施の形態にかかる透かし情報埋め込み方法の流れを示したフローチャートである。
【図６】同実施の形態において生成される画像のイメージを説明する説明図である。
【図７】本発明の第３の実施形態にかかる透かし情報埋め込み装置の機能構成図である。
【図８】同実施の形態にかかる透かし情報埋め込み方法の流れを示したフローチャートである。
【図９】同実施の形態において生成される画像のイメージを説明する説明図である。
【図１０】本発明の第４の実施形態にかかる透かし情報埋め込み装置の機能構成図である。
【図１１】同実施の形態にかかる透かし情報埋め込み方法の流れを示したフローチャートである。
【図１２】同実施の形態において生成される画像のイメージを説明する説明図である。
【図１３】従来の透かし情報埋め込み装置において生成される画像のイメージを説明する説明図である。
【図１４】従来の透かし情報埋め込み装置において生成される画像のイメージを説明する説明図である。
【符号の説明】
【００９６】
３０      透かし情報埋め込み装置
１０２    文書データ読取部
３０４    画像判定部
４０６    画像除去部
４１０    画像濃度情報検出部
４１４    透かし入り文書画像生成部
１１６    出力デバイス
Ｓ４２０  文書データ読取工程
Ｓ４２２  画像判定工程
Ｓ４２４  画像除去工程，画像濃度検出工程
Ｓ４２６  透かし入り文書画像生成工程
【図１】
2006135755.tif 000003
【図２】
2006135755.tif 000004
【図３】
2006135755.tif 000005
【図４】
2006135755.tif 000006
【図５】
2006135755.tif 000007
【図６】
2006135755.tif 000008
【図７】
2006135755.tif 000009
【図８】
2006135755.tif 000010
【図９】
2006135755.tif 000011
【図１０】
2006135755.tif 000012
【図１１】
2006135755.tif 000013
【図１２】
2006135755.tif 000014
【図１３】
2006135755.tif 000015
【図１４】
2006135755.tif 000016